(57)【要約】      （修正有）【課題】表面に各種の文字を有した装飾片の裏面部にマグネットを取り付けたマグネット付健康アクセサリーである。【解決手段】表面に文字９を有した装飾部の底面部６に設けた凹部に任意形状をしたマグネットを埋め込んでなる装飾片２，２を連結部材１で連結してある。また、文字９が、英文字、仮名文字、漢字などであり、装飾片２の底面部に取り付けたマグネットの外表面を緩やかな円弧部に突出させてある。また、装飾片２の側面部の中間部分に一側端から他側端に貫通孔を設けてもよく、さらに、連結部材１は皮製ベルトが好ましい。【選択図】図１
0003134754.tif 000002
【実用新案登録請求の範囲】
【請求項１】
表面に文字（９）を有した装飾部（３）の底面部（６）に任意形状をしたマグネット（８）を埋め込んでなる装飾片（２，２）を、連結部材（１）で連結してなることを特徴とするマグネット付健康アクセサリー。
【請求項２】
前記文字（９）が、英文字、仮名文字または漢字であることを特徴とする請求項１記載のマグネット付健康アクセサリー。
【請求項３】
前記装飾片（２）の底面部（６）に設けた凹部（７）内に取り付けたマグネット（８）の外表面を緩やかな円弧部（８ａ）に突出させてなることを特徴とする請求項１記載のマグネット付健康アクセサリー。
【請求項４】
前記装飾片（２）の側面部の中間部分に一側端から他側端に貫通孔（５）を設けてなることを特徴とする請求項１記載のマグネット付健康アクセサリー。
【請求項５】
前記連結部材（１）が、皮製ベルト（１ａ）であることを特徴とする請求項１記載のマグネット付健康アクセサリー。
【考案の詳細な説明】
【技術分野】
【０００１】
本考案は、表面に各種の文字を有した装飾片の底面部にマグネットを取り付けたマグネット付健康アクセサリーに関するものである。
【背景技術】
【０００２】
従来からマグネットの磁力は健康によいとされ、腕輪や首輪や足輪など多くの用途に使用されている。しかるに、いかにも磁石を身に付けるという形式の腕輪や首輪などの場合には、身に付けてもアクセサリーの価値を十分に発揮することができなかった。そのため、マグネットに金メッキなどの高級加工を施せばアクセサリーの価値を高めることはできるが高価になってしまい、若者達が手軽に購入することができなくなってしまうという欠点を有していた。
【０００３】
そのため、一見しただだけではてマグネットとわからないような構成にしたアクセサリーがある（例えば、特許文献１、参照）。さらに、腕輪の両端部分にマグネットを装着したものなどがある（例えば、特許文献２、参照）。しかしながら、この形式のアクセサリーは、マグネットと身体との接触部分が少ないため、マグネットからの磁力作用が弱くなるという不安感が生じるという問題点を有していた。
【特許文献１】特開２００５―８７４０７号
【特許文献２】登録実用新案第３００２３０９号
【考案の開示】
【考案が解決しようとする課題】
【０００４】
本考案が解決しようとする課題は、アクセサリーを構成する装飾片の表面に、例えば、アルファベット文字などの各種の文字を夫々設けた装飾片をそれぞれ形成し、該アルファベット文字（英文字）を表面に有した装飾片を任意に組み合わせて自分の名前やペットの名前などを形成し、連結部材で連結して身体に装着して自分用のアクセサリーを形成することができるようにするものである。
【０００５】
また、各装飾片の底面部にマグネットを取り付けた該装飾片の表面にデザイン化された装飾文字を設けてアクセサリー機能を発揮すると共に、該装飾片の底面部に取り付けたマグネットを直接に身体に接触させて、磁力を身体に作用させて健康の増進に寄与させることを目的とするものである。
【課題を解決するための手段】
【０００６】
上記課題を達成するため、本考案は、表面に文字９を有した装飾部３の底面部６に設けた凹部７内に任意形状をしたマグネット８を埋め込んでなる装飾片２，２を、連結部材１で連結してなることを特徴とする。また、前記文字９は、英文字、仮名文字または漢字（漢字文字）などからなりそれぞれ装飾文字で形成するのが好ましい。さらに、前記装飾片２の底面部６の凹部７内に取り付けたマグネット８の外表面を緩やかな円弧部８ａに突出させてもよい。さらに、前記装飾片２の側面部の中間部分に一側端から他側端に貫通孔５を設けてある。さらにまた、前記連結部材１は皮製ベルト１ａであることが好ましい。
【０００７】
本考案は上記構成であり、表面に名前などをデザイン文字で形成した各種の文字を設けた装飾部の底面部にマグネットを装着させ、該マグネットを身体に直接接触させて装着し、身体に磁力を作用させて健康に寄与すると共に、該装飾部の表面に設けた文字で名前などのデザインを施すことができるので、外見的なデザイン機能と共に内面的には身体に磁力を作用させて健康に寄与するという二面性を有して健康に良好なアクセサリーを提供することができる。
【０００８】
さらにマグネットの外表面は、装飾片２の底面部６から外方に向かってなだらかな円弧部８ａを突出させてあるので、該アクセサリーを身体に装着することにより身体の表面に接触させて指圧効果を発揮することができ、健康に良好に作用するものである。
【０００９】
さらに、このマグネットの外表面である緩やかな円弧部や平坦面に、三角錐や四角錐などのように複数の稜線部分を有した突起を設けてもよく、その場合には指圧効果が一層向上する利点がある。
【考案の効果】
【００１０】
本考案は、マグネットを身体に接触させて装着することにより該マグネットの作用を直接身体に伝えて体の健康面に良好に作用すると共に、例えば、足首や手首部分などに装着すれば、マグネットは直接身体に接触し、且つ、見た目に良好なアクセサリーの作用を呈するという両面から良好な利点を有するものである。
【００１１】
表面に文字９を有した装飾部３の底面部６に設けた凹部７に任意形状をしたマグネット８を埋め込んでなる装飾片２，２を、連結部材１で連結してなることを特徴とするものであり、この文字として使用するアルファベットは，英語文字に限らず，独語文字、ギリシャ文字．ラテン文字など，あらゆる文字を使用してもよい。その他、周知形状のデザインを表面に設けた装飾部の裏面にマグネットを装着することも勿論可能である。
【考案を実施するための最良の形態】
【００１２】
本考案に係る実施の形態を図面に基づいて説明すると、図１は本考案にかかる実施の形態を示す一部省略した平面図、図２は表面に英文字を設けた装飾片の装飾部を示した平面図、図３は同装飾片の左側面図、図４は図２の底面図、図５は表面に仮名文字を設けた平面図、図６は表面に漢字を設けた平面図である。１は手首などに装着する皮製バンドなどの連結部材で、該皮製ベルト１ａの一端に略Ｕ字金具と掛止片とからなる掛止金具１０を取り付け、皮製ベルト１ａの先端部分に直線状に複数設けた掛止穴１ｂのいずれかに掛止させた前記掛止片を掛止金具１０に掛止して手首部などに取付ける皮製ベルト１ａの長さを調節可能に形成してある。あたかも腕時計バンドと同様に使用することができる。
【００１３】
２は方形、円形、多角形など任意形状に形成した装飾片で、表面に英文字９ａ、仮名文字９ｂ、漢字９ｃなどの各文字９を設けて装飾部３を形成してある。本実施の形態において、英文字９ａを使用した場合は、「Ａ〜Ｚ」の２６文字ですむため、装飾片の数が少なくてすむ利点がある。また、仮名文字９ｂは４８文字の他に、濁点や半濁点文字などがあって数が多くなってしまうため、使用する文字はアルファベット文字が最も少なくすむので、好ましい。
【００１４】
装飾片２の表面をなす装飾部３に設ける種々の文字は、フイルム、金属板、ガラス板樹脂板などの各材料に形成した文字群から所望の文字を切り取って装飾片２の表面に接着して装飾部３を形成してあるが、この方法に限るものではない。さらに、文字はそれぞれデザイン文字で形成すれば、一段とアクセサリー効果を高めることができる。
【００１５】
さらに、この装飾片２の裏面に設けた底面部６に、円形、方形、多角形など任意形状をした凹部７内に板状のマグネット８を収容して固着してある。このマグネット８は該装飾片２の底面部６と同一の平面に形成してもよいし、また身体に直接接触させるために、該マグネットの中央部を外方に突出させてなだらかな円弧部８ａに形成してもよい。この連結部材１は、たとえば皮製ベルト１ａに該装飾片２を挿通させて取り付ける場合、身体との接着性を一段と高めマグネットの作用を十分に受けられるようにしてある。
【００１６】
前記マグネットの該表面になだらかな円弧部８ａなどの突出部を設けてあれば、身体の表面に接触した場合に、指圧効果を高めることができる。さらに、該マグネットの外表面に設けた円弧部又は平端部に、少なくとも１以上の突起であって、複数の稜線部分を有した三角錐や四角錐などを設ければ指圧機能を一段と高めることができるものである。
【００１７】
連結部材１は、皮製ベルト１ａの他に、金属製の鎖、リングでも良い。その場合、装飾片２に貫通孔を設けないで、該装飾片の両側部分に止具（図示せず）を取り付け、各止具を金属製鎖や金属製リングで連結してもよいことはもちろんである。
【００１８】
また、図示しないが、装飾片２にはその表面に周知のデザイン、たとえば、ハート、星、クラブ、スペード、ダイヤなどの周知形状をしたデザインを適宜公知の方法で設けてもよい。この文字を形成する材料は、フイルム、金属板、ガラス板、樹脂板などを用いて形成しても良いことはもちろんである。文字などを印刷したフイルムを切り取って装飾部に貼り付けてもよいものである。
【００１９】
次に、本実施形態の作用について説明すると、表面に例えばそれぞれの英文字６ａを表示してなる複数の装飾片２，２を用意し、例えば、「ＡＫＥＭＩ（アケミ）」という名前を形成する場合は、表面に「Ａ」の文字を有した装飾片と、表面に「Ｋ」の文字を有した装飾片と、表面に「Ｅ」の文字を有した装飾片と、表面に「Ｍ」の文字を有した装飾片と、表面に「Ｉ」の文字を有した装飾片とを組み合わせて「アケミ」という人の名前を形成することができ、個性的なアクセサリーを形成することができる。
【００２０】
連結部材１としては、紐やチエ−ンや鎖や皮製ベルトを使用することができるが、皮製ベルトは、皮を複数枚重ねてその周縁部分を縫着して厚み方向に弾力性を具有しているので、皮製ベルトを装飾片の貫通孔内に挿通させるだけで所定箇所に保持させることが可能であり、必要なら接着剤で固定してもよい。
【図面の簡単な説明】
【００２１】
【図１】本考案に係る実施の形態を示す一部省略した平面図である。
【図２】表面に英文字を設けた装飾片の平面図である。
【図３】同装飾片の左側面図である。
【図４】図２の底面図である。
【図５】表面に仮名文字を設けた平面図である。
【図６】表面に漢字を設けた平面図である。
【符号の説明】
【００２２】
１      連結部材
１ａ    皮製ベルト
２      装飾片
３      装飾部
４      側面部
５      貫通孔
６      底面図
７      凹部
８      マグネット
８ａ    円弧部
９      文字
９ａ    英文字
９ｂ    仮名文字
９ｃ    漢字  
【図１】
0003134754.tif 000003
【図２】
0003134754.tif 000004
【図３】
0003134754.tif 000005
【図４】
0003134754.tif 000006
【図５】
0003134754.tif 000007
【図６】
0003134754.tif 000008